(57)【要約】【課題】  ねじ切れすることがなく、ねじ込み完了を明確に感知できる石膏ボード用アンカーねじを提供する。【解決手段】  本発明の石膏ボード用アンカーねじ２０は、胴部２１にねじ込み用のねじ２４が形成され、前記胴部２１の一端にねじ込み用の尖った先端２２ａを有し、他端に頂面が平らな頭部２３を備えた石膏ボード用アンカーねじ２０であって、前記ねじ込み用のねじ２４で石膏ボード中にねじ込むときの推進力が、前記頭部が石膏ボード内に埋没するときの抵抗力より大きくしたことを特徴としている。【選択図】      図１
2010180996.tif 000002
【特許請求の範囲】
【請求項１】
胴部にねじ込み用のねじが形成され、前記胴部の一端にねじ込み用の尖った先端を有し、他端に頭部を備えた石膏ボード用アンカーねじであって、前記ねじ込み用のねじで石膏ボード中にねじ込むときの推進力が、前記頭部が石膏ボード内に埋没するときの抵抗力より大きくしたことを特徴とする石膏ボード用アンカーねじ。
【請求項２】
前記頭部が円形の板状で、前記ねじ込み用のねじが石膏ボードにねじ込まれ進行することによって、前記頭部が変形可能であることを特徴とする請求項１に記載の石膏ボード用アンカーねじ。
【請求項３】
前記胴部が、先端に向かって細くなるテーパー状であることを特徴とする請求項１又は２に記載の石膏ボード用アンカーねじ。
【請求項４】
前記頭部が円形の板状で、周縁の厚さが０．１〜０．５ｍｍ、胴部との接続部に向かって徐々に厚くなることを特徴とする請求項１から３のいずれかに記載の石膏ボード用アンカーねじ。
【発明の詳細な説明】
【技術分野】
【０００１】
本発明は石膏ボードにフックなどを取り付ける場合に使用される石膏ボード用アンカーねじに関する。
【背景技術】
【０００２】
石膏ボードは、石膏を主成分とした素材を板状にし、2枚の板でサンドイッチ状に挟んだものである。安価で、かつ、非常に丈夫であり、耐火性にも優れており、建築材料として壁や床を造る際に広く使用されている。
【０００３】
しかし、石膏ボードは、素材が柔らかなため、ねじや釘で部材を直接固定することができない。石膏ボードにフックなどの別の部材を固定する場合には、通常、石膏ボード用アンカーねじを使用する。
【０００４】
図３は、従来の石膏ボード用アンカーねじの使用方法を説明する図で、（ａ）はねじ込み開始状態の図、（ｂ）はねじ込み完了時の図、（ｃ）はねじ込み完了後、アングルの取り付けを開始した図、（ｄ）はアングルの取り付けが完了した状態を示す図である。
【０００５】
図３（ａ）に示すように、石膏ボード１１に下穴を明けることなく、直接、石膏ボード用アンカーねじ１２をドライバ１３で押しつけながら螺合していく。石膏ボード用アンカーねじ１２は、金属製のものもプラスチック製のものもある。図３（ｂ）は、石膏ボード用アンカーねじ１２の螺合が完了した状態である。このとき、石膏ボード用アンカーねじ１２の頭部の頂面１２ａと石膏ボード１１の表面１１ａとは、ほぼ面一になる。石膏ボード用アンカーねじ１２には、中心に中空の穴が明いており、図３（ｃ）に示すように、ここに通常の金属製の木ねじ１４を螺合する。このとき、木ねじ１４をアングル１５の穴に挿通し、ドライバ１６でねじ込む。木ねじ１４のねじ込みが完了すると、図３（ｄ）のように、アングル１５が石膏ボード１１に固定される。このように石膏ボード用アンカーねじ１２の中空の穴の部分に金属製の木ねじ１４を螺合するので、石膏ボード用アンカーねじはプラスチック製が多く、金属製の場合は、柔らかい金属が使用されている。
【発明の概要】
【発明が解決しようとする課題】
【０００６】
しかしながら、従来の石膏ボード用アンカーねじは、ねじ切れが起こり易く、空転してしまい易いという問題があった。すなわち、図３（ｂ）に示すように石膏ボード用アンカーねじ１２を石膏ボード１１にねじ込み、石膏ボード用アンカーねじ１２の頭部の頂面１２ａと石膏ボード１１の表面１１ａとがほぼ面一になると、ねじ込みは完了する。しかし、この状態を感知しにくく、作業者は、締め付けのために若干の力を加えてさらにドライバ１３で石膏ボード用アンカーねじ１２を回転させる。すると、石膏ボード用アンカーねじ１２のねじが、石膏の内部で空転し、いわゆる、ねじ切った状態になってしまう。ねじ切った状態になると、石膏ボード用アンカーねじ１２は、石膏ボード１１内で空転し、木ねじ１４のねじ込みができなくなって、アングル１５を固定することができなくなってしまう。
【０００７】
本発明は、このような問題の解決を図ったもので、ねじ切れすることがなく、ねじ込み完了を明確に感知できる石膏ボード用アンカーねじを提供することを目的としている。
【課題を解決するための手段】
【０００８】
上記の目的を達成するために本発明の石膏ボード用アンカーねじは、胴部にねじ込み用のねじが形成され、前記胴部の一端にねじ込み用の尖った先端を有し、他端に頭部を備えた石膏ボード用アンカーねじであって、前記ねじ込み用のねじで石膏ボード中にねじ込むときの推進力が、前記頭部が石膏ボード内に埋没するときの抵抗力より大きくしたことを特徴としている。
【０００９】
前記頭部が円形の板状で、前記ねじ込み用のねじが石膏ボードにねじ込まれ進行することによって、前記頭部が変形可能である構成としたり、前記胴部が、先端に向かって細くなるテーパー状である構成としたり、前記頭部が円形の板状で、周縁の厚さが０．１〜０．５ｍｍ、胴部との接続部に向かって徐々に厚くなる構成としたりすることができる。
【００１０】
上記手段によれば、以下のような作用が得られる。石膏ボードに下穴を明けずに、石膏ボード用アンカーねじの先端を目的の位置に当て、ドライバで押し込みながら回転を加えると、石膏ボード用アンカーねじは、石膏ボード内にねじ込まれていく。石膏ボード用アンカーねじのねじ込みが進み、頭部の頂面が石膏ボードの面とほぼ面一となったところで、ねじ込みが完了する。この状態からさらにねじ込もうとしても、石膏ボード用アンカーねじの頭部が抵抗となって、それまでのねじ込みトルクではねじ込めない。しかし、使用者がさらに力を加えて回転すると、ねじ込み用のねじで石膏中にねじ込むときの推進力が、前記頭部が石膏ボード内に埋没するときの抵抗力より大きくなっているので、頭部が変形し、石膏ボード内にめりこみ、頭部が石膏ボードの表面から凹む。作業者はこの状態を見ることで、ねじ込みが完了したことを検知することができる。また、このとき、ねじ切れは生じない。
【００１１】
もし、さらにねじ込みを続けると、頭部はさらに深く石膏ボード内に入り込み、石膏ボード内を石膏ボード用アンカーねじが進み、やがて、石膏ボード用アンカーねじは石膏ボードの反対側に抜け出てしまうことになる。しかしながら、石膏ボード用アンカーねじが石膏ボードの反対側に抜け出るまでの間、ねじ切れは起こらず、石膏ボード用アンカーねじは石膏ボードとしっかり螺合しており、空転することはない。したがって、頭部が若干石膏ボードにめり込んでも、石膏ボード用アンカーねじの固定力は保持できることになる。
【発明の効果】
【００１２】
本発明の石膏ボード用アンカーねじによれば、石膏ボード用アンカーねじを石膏ボードにねじ込んでもねじが切れることがなく、安定した固定力を確保できるという優れた効果を奏する。
【図面の簡単な説明】
【００１３】
【図１】発明の石膏ボード用アンカーねじの実施例を示すものであって、（ａ）は正面図、（ｂ）は左側面図、（ｃ）は（ｂ）のＡ−Ａ線断面図で、（ｄ）は頭部の一部を拡大した図である。
【図２】本発明の石膏ボード用アンカーねじの使用方法を説明する図で、（ａ）はねじ込み開始状態の図、（ｂ）はねじ込み完了時の図、（ｃ）はねじ込み完了後、さらに少しねじ込んだ図、（ｄ）は（ｃ）からさらにねじ込んだ状態を示す図である。
【図３】従来の石膏ボード用アンカーねじの使用方法を説明する図で、（ａ）はねじ込み開始状態の図、（ｂ）はねじ込み完了時の図、（ｃ）はねじ込み完了後、アングルの取り付けを開始した図、（ｄ）はアングルの取り付けが完了した状態を示す図である。
【発明を実施するための形態】
【００１４】
以下、本発明の実施の形態を添付図面を参照して説明する。
図１は発明の石膏ボード用アンカーねじの実施例を示すものであって、（ａ）は正面図、（ｂ）は左側面図、（ｃ）は（ｂ）のＡ−Ａ線断面図で、（ｄ）は頭部の一部を拡大した図である。
【００１５】
本発明の石膏ボード用アンカーねじ２０は、プラスチックの一体成形により形成されたものである。石膏ボード用アンカーねじ２０は、先細のテーパ状になった胴部２１の一端にテーパ角が大きくなった先端部２２が形成され、他端には円板状の頭部２３が形成され、胴部２１には、雄ねじ２４が形成されている。先端部２２は、胴部２１よりテーパがきつく、その先端２２ａは尖っている。雄ねじ２４も、胴部２１のテーパに合わせて外径が変化しており、かつ、先端部２２にも形成されている。
【００１６】
石膏ボード用アンカーねじ２０には、頭部２３に開口し、軸方向に延びる穴２５がある。この穴２５は、入口側の十字穴２５ａと、その奥の円形の穴２５ｂとから構成されている。十字穴２５ａは、ドライバ１３のビットと嵌合し、石膏ボード用アンカーねじ２０に回転を付与するためのものである。
【００１７】
先端部２２は中空で、胴部２１の穴２５ｂに連通している。また、先端部２２には側面に開口２２ｂがあり、胴部２１には、この開口２２ｂに連通するスリット２１ａが形成されている。
【００１８】
石膏ボード用アンカーねじ２０の各部の径の一例を以下に示す。
胴部２１の最大径：  Ｄ０＝９．５ｍｍφ
頭部２３の径：      Ｄ２＝１５．０ｍｍφ
雄ねじ２４の最大径：Ｄ１＝１３．６ｍｍφ
これらはいずれも従来例と同じであった。そして、雄ねじ２４の最大径と頭部２３の径との差は１．４ｍｍと小さかった。
【００１９】
図１（ｄ）に示す頭部２３において、本発明では、
最外側の最も薄い位置での厚さ：  ｔ１＝０．３〜０．５ｍｍ    とした。
（従来例では、このｔ１の値は、１．０ｍｍであった。）
最も内側の厚い位置での厚さ：  ｔ２＝０．８〜１．２ｍｍ    とした。
（従来例では、このｔ２の値は、１．５ｍｍであった）
【００２０】
以上のことから、本発明の石膏ボード用アンカーねじ２０は、頭部２３の厚さが従来より薄くなっていることに特徴がある。このように薄くすることで、頭部２３が変形し易くなっている。
【００２１】
図２は、この石膏ボード用アンカーねじ２０の使用方法を説明する図で、（ａ）はねじ込み開始状態の図、（ｂ）はねじ込み完了時の図、（ｃ）はねじ込み完了後、さらに少しねじ込んだ図、（ｄ）は（ｃ）からさらにねじ込んだ状態を示す図である。
【００２２】
図１（ａ）では、従来例と同じ様にして、ドライバ１３を頭部２３の十字穴２５ａに差し込み、石膏ボード１１に押し付けながらドライバ１３を回転する。図１（ｂ）は、ねじ込みが完了した状態である。頭部２３の頂面は、石膏ボード１１の表面と面一になっている。しかし、作業者が、この状態でねじ込みが完了したことを感知できない場合もある。
【００２３】
そこで、この状態からさらにねじ込むことになるが、本発明の石膏ボード用アンカーねじ２０は、雄ねじ２４が石膏ボード１１内を進行していく推進力の方が、頭部２３が石膏ボード内に埋没するときの抵抗力より大きくなっている。したがって、仮に、図１（ｂ）の状態からさらにねじ込んだ場合、図１（ｃ）に示すように、頭部２３が変形しながら石膏ボード１１にめり込んでいき、頭部２３が凹んだ状態になる。このようになった状態で、作業者はねじ込みが完了していたことに気が付き、締め付けを停止することになる。しかし、このとき、ねじ切れは起こらない。
【００２４】
仮に、図１（ｃ）の状態からさらに、ねじ込みを続けると、図１（ｄ）に示すように、頭部２３で石膏ボード１１に穴１１ａを穿設していき、やがて、石膏ボード用アンカーねじ２０は石膏ボード１１の反対側に抜け落ち、石膏ボード１１には、大きな穴１１ａが貫通形成されることになる。しかし、反対側に抜け落ちるまで、ねじ切れは起こらないので、途中でねじ込みを停止すれば、石膏ボード用アンカーねじ２０は、その場所で固定されることになる。
【００２５】
従来の石膏ボード用アンカーねじでは、このようにはならない。すなわち、図３（ｂ）の状態からさらにねじ込むと、頭部が厚いので、変形が起こらず、単なる抵抗として作用する。そのため、雄ねじは石膏内を進行できず、ねじ切れた状態になって、石膏ボード用アンカーねじ１２は空転してしまった。
【００２６】
しかし、本発明の石膏ボード用アンカーねじ２０では、ねじ切れが起こる前に、頭部２３が変形して石膏ボード１１内にめり込むので、固定力を強いまま保持することができ、空転することも無くなった。
【００２７】
なお、本発明の石膏ボード用アンカーねじ２０は、従来と同様に穴２５ｂに木ねじ１４をねじ込んでアングル１５等を固定するが、穴２５ｂが奥に向かって細くなる形状である。また、胴部２１にスリット２１ａが形成されている。これらのことから、木ねじ１４を穴２５ｂにねじ込むと、胴部２１が膨らみ、石膏ボード１１との圧着力が上昇し、さらに固く固定されることになる。
【符号の説明】
【００２８】
１１    石膏ボード
１３    ドライバ
１６    ドライバ
２０    石膏ボード用アンカーねじ
２１    胴部
２１ａ  スリット
２２    先端部
２２ａ  先端
２２ｂ  開口
２３    頭部
２５    穴
２５ａ  十字穴
２５ｂ  穴
【図１】
2010180996.tif 000003
【図２】
2010180996.tif 000004
【図３】
2010180996.tif 000005